(57)【要約】【課題】冊子を読む場合のような直観的な操作で使用者が入力を行えるようにする。【解決手段】入力装置は、センサ１１１1〜１１１nを有するセンサ部を備える。センサ１１１1〜１１１nは、それぞれ、曲げ量を感知するセンサであり、層状に重ねて設けられている。センサ１１１1〜１１１nは、隣り合うセンサの間の位置が表示対象の文書のページと対応付けられており、いずれかの位置が開かれると、当該位置に対応したページを表示させる操作を意味するものになる。【選択図】図３
2011128718.tif 000002
【特許請求の範囲】
【請求項１】
曲げ量を感知するセンサを層状に複数重ねたセンサ部と、
前記複数のセンサのうちの隣り合う２つのセンサにより感知された曲げ量の相違が他よりも大である位置を１又は複数特定する特定部と、
前記特定部により特定された位置を表す情報を出力する出力部と
を備えることを特徴とする入力装置。
【請求項２】
前記出力部が、前記特定部により前記相違が他よりも大である第１の位置が特定された後に前記第１の位置と異なる第２の位置の相違が他よりも大であると特定された場合に、前記第１の位置を表す前記情報を記録部による記録のために出力し、前記第２の位置を表す前記情報を表示部による表示のために出力する
ことを特徴とする請求項１に記載の入力装置。
【請求項３】
前記出力部が、前記相違が他よりも大である第１の位置と第２の位置とが特定された場合において、前記第２の位置の前記相違が前記第１の位置の前記相違よりも大であるとき、前記第１の位置を表す前記情報を記録部による記録のために出力し、前記第２の位置を表す前記情報を表示部による表示のために出力する
ことを特徴とする請求項１に記載の入力装置。
【請求項４】
複数の部分に区分される文書を表すデータを記憶手段から取得する取得部を備え、
前記特定部は、前記取得部により取得されたデータが表す文書のうちの表示手段に表示する部分を前記位置に基づいて特定し、
前記出力部は、前記位置を表す情報に代えて、又は当該情報とともに、前記部分を表す情報を出力する
ことを特徴とする請求項１ないし３のいずれかに記載の入力装置。
【請求項５】
前記特定部により特定される位置を前記部分のいずれかに割り当てる割当部を備える
ことを特徴とする請求項４に記載の入力装置。
【請求項６】
前記割当部が、前記位置のいずれかを基準とし、当該基準の位置と前記特定部により特定される位置との差に応じて割り当ての態様を異ならせる
ことを特徴とする請求項５に記載の入力装置。
【請求項７】
曲げ量を感知するセンサを層状に複数重ねたセンサ部と、
複数の部分に区分される文書を表すデータを記憶手段から取得する取得部と、
前記複数のセンサのうちの隣り合う２つのセンサにより感知された曲げ量の相違が他よりも大である位置を１又は複数特定する特定部と、
前記取得部により取得されたデータが表す前記文書のうちの前記特定部により特定された位置に応じた部分を表示する表示部と
を備えることを特徴とする表示装置。
【発明の詳細な説明】
【技術分野】
【０００１】
本発明は、入力装置及び表示装置に関する。
【背景技術】
【０００２】
曲がる表示部を有し、表示部の曲がり具合によって操作の判断を行う技術が知られている（例えば、特許文献１、２参照）。特許文献１には、さらに、情報表示装置にプッシュスイッチを設け、所定ページを表示させる場合にこれを操作することが記載されている。
【先行技術文献】
【特許文献】
【０００３】
【特許文献１】特開２００３−１５７９５号公報
【特許文献２】特開２００４−３１８１２３号公報
【発明の開示】
【発明が解決しようとする課題】
【０００４】
本発明は、冊子を読む場合のような直観的な操作で使用者が入力を行えるようにすることを目的とする。
【課題を解決するための手段】
【０００５】
本発明の請求項１に係る入力装置は、曲げ量を感知するセンサを層状に複数重ねたセンサ部と、前記複数のセンサのうちの隣り合う２つのセンサにより感知された曲げ量の相違が他よりも大である位置を１又は複数特定する特定部と、前記特定部により特定された位置を表す情報を出力する出力部とを備える構成を有する。
【０００６】
本発明の請求項２に係る入力装置は、請求項１に記載の構成において、前記出力部が、前記特定部により前記相違が他よりも大である第１の位置が特定された後に前記第１の位置と異なる第２の位置の相違が他よりも大であると特定された場合に、前記第１の位置を表す前記情報を記録部による記録のために出力し、前記第２の位置を表す前記情報を表示部による表示のために出力する構成を有する。
本発明の請求項３に係る入力装置は、請求項１に記載の構成において、前記出力部が、前記相違が他よりも大である第１の位置と第２の位置とが特定された場合において、前記第２の位置の前記相違が前記第１の位置の前記相違よりも大であるとき、前記第１の位置を表す前記情報を記録部による記録のために出力し、前記第２の位置を表す前記情報を表示部による表示のために出力する構成を有する。
本発明の請求項４に係る入力装置は、請求項１ないし３のいずれかに記載の構成において、複数の部分に区分される文書を表すデータを記憶手段から取得する取得部を備え、前記特定部は、前記取得部により取得されたデータが表す文書のうちの表示手段に表示する部分を前記位置に基づいて特定し、前記出力部は、前記位置を表す情報に代えて、又は当該情報とともに、前記部分を表す情報を出力する構成を有する。
本発明の請求項５に係る入力装置は、請求項４に記載の構成において、前記特定部により特定される位置を前記部分のいずれかに割り当てる割当部を備える構成を有する。
本発明の請求項６に係る入力装置は、請求項５に記載の構成において、前記割当部が、前記位置のいずれかを基準とし、当該基準の位置と前記特定部により特定される位置との差に応じて割り当ての態様を異ならせる構成を有する。
【０００７】
本発明の請求項７に係る表示装置は、曲げ量を感知するセンサを層状に複数重ねたセンサ部と、複数の部分に区分される文書を表すデータを記憶手段から取得する取得部と、前記複数のセンサのうちの隣り合う２つのセンサにより感知された曲げ量の相違が他よりも大である位置を１又は複数特定する特定部と、前記取得部により取得されたデータが表す前記文書のうちの前記特定部により特定された位置に応じた部分を表示する表示部とを備える構成を有する。
【発明の効果】
【０００８】
本発明の請求項１又は７に記載の構成によれば、冊子を読む場合のような直観的な操作で使用者が入力を行うことができる。
本発明の請求項２又は３に記載の構成によれば、層状のセンサを用いて表示部への出力と記録部への出力とを共に行うことができる。
本発明の請求項４に記載の構成によれば、特定部により特定された位置を文書の部分と対応付けることができる。
本発明の請求項５に記載の構成によれば、特定部により特定され得る位置の数と文書の区分された部分の数とが一致していなくても、特定部により特定された位置を文書の部分と対応付けることができる。
本発明の請求項６に記載の構成によれば、割り当ての態様が操作の態様に依存しない場合に比べ、特定部により特定された位置と文書の部分との対応付けをより直観的なものにすることができる。
【図面の簡単な説明】
【０００９】
【図１】表示装置の外観を示す図
【図２】センサ部の構成を示す図
【図３】センサの曲げの態様を例示する図
【図４】表示装置のハードウェア構成を示すブロック図
【図５】制御部が実現する機能を示す機能ブロック図
【図６】センサの位置と文書のページ数の対応付けを例示する図
【図７】ページめくりを行いながらブックマークを行う場合の操作を例示する図
【図８】制御部が実行する処理を示すフローチャート
【図９】切替処理を示すフローチャート
【図１０】表示システムの構成を示すブロック図
【図１１】割り当ての態様を説明するための図
【発明を実施するための形態】
【００１０】
［実施形態］
図１は、本発明の一実施形態である表示装置の外観を示す図である。図１に示す表示装置１００は、筐体１００ａと、表示面１４１と、センサ部１１０とを備える。表示面は、後述する表示部１４０の一部をなし、データに応じて各種の画像を表示する。センサ部１１０は、曲げ量を感知する手段であり、使用者により操作される入力装置の一部として機能するものである。
【００１１】
図２は、センサ部１１０の構成を示す図である。センサ部１１０は、層状に重ねられた複数のセンサ１１１1、１１１2、…、１１１nと、センサ１１１1、１１１2、…、１１１nが取り付けられた基部１１２とを備える。なお、以下において、センサ１１１1、１１１2、…、１１１nのそれぞれを区別する必要がない場合には、これらを「センサ１１１」と総称する。センサ１１１は、板状であるため、以下ではこれを１枚、２枚、…、ｎ枚と数える。
【００１２】
センサ１１１は、それぞれが曲げ量を感知する板状のセンサである。ここにおいて、曲げ量とは、センサが曲がっていない状態を基準とした曲げ変形の程度をいうものである。センサ１１１は、曲げ量に応じた物理量を検出可能に構成されており、例えば、曲げ量に応じた電気抵抗値を示す。また、センサ１１１は、曲げ変形の外力を失うと、元の形状（すなわち曲がっていない状態）に戻ろうとする性質を有する。センサ１１１1、１１１2、…、１１１nの総数、すなわちｎの値は、特に限定されないが、例えば「１０」以上であると望ましい。また、センサ１１１は、曲がっていない状態において、各々が接触するように重なっていてもよいし、各々が接触しないように重なっていてもよい。したがって、隣り合うセンサ１１１の距離は、特に限定されないが、冊子を１枚ずつめくるような操作感を実現するためには、隣り合うセンサ１１１が接触する程度に近接していることが望ましいといえる。
【００１３】
図３は、センサ１１１の曲げの態様を例示する図である。なお、ここにおいて、ｉは、１＜ｉ＜ｎを満たす適当な整数であるとする。また、ここでは、センサ１１１の曲げ量について、図中の矢印Ｐの方向を正方向とし、図中の矢印Ｎの方向を負方向とする。本実施形態のセンサ１１１は、この正方向の曲げと負方向の曲げを区別し得るように構成されている。
センサ１１１の曲げの態様には、図３（ａ）に示すように、使用者がセンサ１１１を片側（正方向のみ）に曲げる場合と、図３（ｂ）に示すように、使用者がセンサ１１１を両側（正方向及び負方向）に曲げる場合とがある。
【００１４】
図３（ａ）に示す例の場合、指によってセンサ１１１iが曲げられ、センサ１１１iの曲げ量に応じて、センサ１１１1〜１１１i-1も曲がる。ただし、センサ１１１1〜１１１i-1の曲げ量は、センサ１１１iと同等ないしそれ未満である。そうすると、隣り合うセンサ１１１の間における曲げ量の相違は、センサ１１１iとセンサ１１１i+1との間で最大となる。
一方、図３（ｂ）に示す例の場合は、センサ１１１i+1〜１１１nが負方向に曲げられるため、図３（ａ）に示す例の場合に比べ、センサ１１１iとセンサ１１１i+1との間の曲げ量の相違がより大きくなる。なお、かかる曲げ量の相違は、使用者がセンサ１１１に対して加える力の大きさによっても変化する。
【００１５】
なお、センサ部１１０は、図３（ｃ）に示す例のように、指に代わる物体Ｏが差し挟まれる場合もある。物体Ｏは、例えば、ペン等の筆記具であるが、層状のセンサ部１１０に挿入し得る形状を有し、センサ１１１がその挿入を感知し得るものであれば、いかなるものであってもよい。以下においては、使用者の指と、指に代わる物体Ｏとを総称し、「指等」という。
【００１６】
図４は、表示装置１００のハードウェア構成を示すブロック図である。表示装置１００は、上述したセンサ部１１０に加え、制御部１２０と、記憶部１３０と、表示部１４０とを備える。制御部１２０は、ＣＰＵ（Central Processing Unit）等の演算処理装置や主記憶装置に相当するメモリを備え、あらかじめ記憶されたプログラムを実行することにより、表示装置１００の各部の動作を制御する。センサ部１１０は、センサ１１１のそれぞれの曲げ量を表す情報（以下「センサ情報」という。）を制御部１２０に供給する。記憶部１３０は、補助記憶装置に相当するフラッシュメモリ等の記憶手段を備え、表示部１４０に表示する文書のデータ（以下「文書データ」という。）を記憶する。なお、記憶部１３０の記憶手段には、いわゆるメモリカードのように、表示装置１００に対して着脱可能な記憶手段が用いられてもよい。表示部１４０は、例えば液晶パネルにより構成された表示面１４１と、表示面１４１を駆動する駆動回路等を備え、表示面１４１に文書に相当する画像を表示する表示手段である。
【００１７】
本発明において、文書とは、表示の対象となり、複数の部分に区分されるものをいう。本発明に係る文書は、文字と画像のいずれを含んでいてもよい。なお、本実施形態における文書は、いわゆる冊子に相当し、複数のページによって区分されるものであるとする。ただし、本発明における文書の区分は、ページに限定されるものではなく、他の単位（例えば、段落毎や章毎など）であってもよい。また、文書は、例えばこれが表示面１４１よりも大きな地図を表す場合であれば、一度に表示される部分が緯度や経度によって区分されてもよい。
【００１８】
図５は、制御部１２０が実現する機能を示す機能ブロック図である。制御部１２０は、プログラムを実行することにより、第１取得部１２１、第２取得部１２２、特定部１２３、割当部１２４、記録部１２５及び表示制御部１２６の各部に相当する機能を実現する。第１取得部１２１は、センサ部１１０からセンサ情報を取得する。第２取得部１２２は、記憶部１３０から文書データを取得する。
【００１９】
特定部１２３は、第１取得部１２１により取得されたセンサ情報に基づいて、使用者が他と区別しているセンサ１１１の位置を特定し、特定した位置を表す情報を記録部１２５又は表示制御部１２６に供給（すなわち出力）する。特定部１２３は、具体的には、隣り合う２つのセンサ１１１により感知された曲げ量の相違が他よりも大である位置を特定する。つまり、特定部１２３は、図３（ａ）の例の場合であれば、センサ１１１iの位置を特定する。このような位置は、使用者が指等により開いている位置か、あるいは指等を挟んでいる位置である場合が多い。なお、センサ１１１は、使用者の意図とは無関係に曲げられる場合ももちろんあるが、本実施形態ではこのような場合を考えないものとする。
【００２０】
特定部１２３は、曲げ量の相違が他よりも大である位置を特定する場合に、絶対的又は相対的な指標のいずれを用いてもよい。前者を用いた例は、曲げ量の相違があらかじめ決められた閾値を超えるか否かを判断するものであり、後者を用いた例は、センサ１１１1〜１１１i-1のすべての間の曲げ量の相違をそれぞれ特定し、その相違が大きい位置を順番に抽出するものである。特定部１２３は、このようにしてセンサ１１１の位置を少なくとも１以上特定する。特定部１２３が２以上の位置を特定するのは、後述する「ブックマーク（しおり）」の機能が用いられる場合である。
【００２１】
割当部１２４は、特定部１２３により特定される位置と第２取得部１２２により取得された文書データが表す文書のページとの対応付けを行う。すなわち、割当部１２４は、特定部１２３により特定され得る位置のそれぞれを文書データが表す文書のいずれかのページに割り当てる。本実施形態において、割当部１２４による割り当ては、使用者の操作の態様に依存せず、表示の対象の文書に応じてあらかじめ決められている。
【００２２】
図６は、センサ１１１の位置と文書のページ数の対応付けの表を例示したものである。なお、ここでは、説明を簡単にするため、センサ１１１の枚数（ｎ）を「１１」とし、文書のページ数を「５０」としている。センサ１１１が１１枚であれば、センサ１１１とセンサ１１１の間、すなわち指等により開かれる位置は、全部で１０個所である。図６（ａ）の表の例では、センサ１１１1から１枚ずつ順番に開いて（めくって）いった場合に、５枚目までは１ページずつ文書のページが推移し、６枚目では文書の１０ページ目が表示され、以後１０ページずつ飛ばして表示されることを意味している。一方、図６（ｂ）の表の例では、センサ１１１の１枚目から３枚目まででは１ページずつ推移し、４枚目から６枚目まででは５ページおきに推移し、７枚目から１０枚目まででは１０ページおきに推移して文書が表示されることを意味している。
なお、割当部１２４による割り当て、すなわち対応付けは、以上の例に限定されない。また、割当部１２４は、ページ数に応じた複数の対応付けをあらかじめパターンとして記憶し、使用者が所望する対応付けのパターンを選択して用い得るようにしてもよい。
【００２３】
記録部１２５は、特定部１２３により２以上の位置が特定された場合に、そのとき表示の対象となるページ以外のページがいずれであるかを、割当部１２４による対応付けに基づいて記録する。記録部１２５による記録の対象となるページは、ブックマークされるページである。記録部１２５は、必要に応じて、記録したページを識別する情報を表示制御部１２６に供給する。
【００２４】
表示制御部１２６は、特定部１２３により特定された位置と、割当部１２４によるページの割り当てとに基づいて、表示データのうちの表示の対象となるページに相当する部分を第２取得部１２２を介して取得し、これを表示部１４０による表示に適合した形式のデータに変換して表示部１４０に出力する。表示制御部１２６は、かかるデータを表示部１４０に供給する機能に加え、既に供給したデータを一時的に記憶する機能を有していてもよい。このようにして一時的に記憶されたデータは、使用者により同じページを再度表示させる操作が行われた場合（例えば、ブックマークされたページを表示させる場合）に用いられる。
【００２５】
表示装置１００の構成は、以上のとおりである。かかる構成のもと、表示装置１００は、使用者の操作による入力を受け付け、その操作に応じた文書を表示する。使用者は、文書のページを遷移させる場合には、センサ部１１０を用い、センサ１１１をめくるように曲げる操作を行う。また、使用者は、このようなページめくり（ページング）の操作に加え、所望する特定のページをブックマークする操作をあわせて行う。ここにおいて、ブックマークとは、文書の特定の部分（ページ）を他の部分と区別して記録することをいうものであり、当該部分の表示をより迅速に行うために行われるものである。使用者は、文書の特定のページをブックマークしておくと、当該ページを閲覧しようとする場合に、ページめくりをして目的のページを探す必要がなくなる。
【００２６】
図７は、ページめくりを行いながらブックマークを行う場合の操作を例示する図である。図７（ａ）の例において、使用者は、センサ１１１iとセンサ１１１i+1の間を開いている。この状態において、使用者は、図７（ｂ）に示すように、センサ１１１iとセンサ１１１i+1の間に指等を挟んでおきながら、センサ１１１i+1をめくり、センサ１１１i+1とセンサ１１１i+2の間を開く。そうすると、図７（ａ）の状態で表示部１４０に表示されていた文書のページがブックマークされつつ、表示部１４０には次のページが表示されるようになる。また、この状態において、図７（ｃ）に示すようにセンサ１１１を同様の要領で順次めくっていくと、表示部１４０に表示されるページも順次遷移していく。
【００２７】
図８は、ページめくり及びブックマークが行われる場合に制御部１２０が実行する処理を示すフローチャートである。図８に示すように、制御部１２０は、表示対象の文書データを取得する（ステップＳ１）。このとき、制御部１２０は、取得した文書データが表す文書のうちのあらかじめ決められたページ（例えば、表紙や１ページ目）を表示部１４０に表示させるようにしてもよい。ステップＳ１の処理が終了すると、表示装置１００は、センサ部１１０による使用者の入力を受け付ける状態になる。
【００２８】
次に、制御部１２０は、センサ部１１０を介して使用者による操作（すなわち入力）があったか否かを繰り返し判断する（ステップＳ２）。ステップＳ２の判断は、望ましくは、周期的に行われる。ただし、この判断の周期が使用者のページめくりの速度に比して必要以上に短いと、図８に示す処理が１回のページめくりの間に複数回実行され、使用者の意図に反する動作になる可能性がある。よって、ステップＳ２の判断の周期は、使用者の入力に対する応答性を考慮して、適当な間隔に定められることが望ましい。
【００２９】
制御部１２０は、使用者による入力が認められると、ステップＳ２の判断の繰り返しを中断し、センサ部１１０のうちの使用者によって開かれている位置、すなわち曲げ量の相違が他よりも大である位置を特定する（ステップＳ３）。なお、ステップＳ３において特定される位置のことを、以下では「開き位置」という。続いて、制御部１２０は、あらかじめ決められた対応付けに従い、表示対象の文書のうちの開き位置に対応するページを特定し（ステップＳ４）、特定したページを表示部１４０に表示させる（ステップＳ５）。
【００３０】
その後、制御部１２０は、使用者による新たな入力が認められると、表示部１４０に表示させるページを切り替えるための処理を実行する（ステップＳ６）。ステップＳ６において実行される処理は、使用者による操作がページめくりとブックマークのいずれであるか（あるいはこれらの組み合わせであるか）によって内容が異なる処理である。この処理のことを、以下では「切替処理」という。
【００３１】
図９は、切替処理を示すフローチャートである。この切替処理において、制御部１２０は、センサ部１１０を介して使用者による操作（すなわち入力）があったか否かを繰り返し判断し（ステップＳ６１）、使用者による入力が認められると、開き位置を特定するとともに（ステップＳ６２）、特定した開き位置に対応する文書のページを特定する（ステップＳ６３）。ステップＳ６１、Ｓ６２及びＳ６３の処理は、上述したステップＳ２、Ｓ３及びＳ４の処理と同じ手順で行われる。
【００３２】
制御部１２０は、開き位置に対応するページを特定した後の処理を、特定したページが複数あるか否かによって異ならせる。開き位置が１個所、すなわち開き位置に対応するページが１ページである場合は、ページめくりのみが行われていることを意味する。一方、開き位置が複数個所、すなわち開き位置に対応するページが複数ページである場合は、ページめくりだけではなく、ブックマークも行われていることを意味する。そのため、制御部１２０は、ステップＳ６３において特定したページが複数あるか否かをこの時点で判断する（ステップＳ６４）。
【００３３】
ステップＳ６３において特定されたページが１ページである場合、当該ページが表示対象のページである。よって、制御部１２０は、このページを表示部１４０に表示させ、ページの切り替えを行う（ステップＳ６８）。一方、ステップＳ６３において特定されたページが複数ページである場合、特定されたページには、表示対象のページと記録対象のページとが含まれる。よって、制御部１２０は、表示対象のページと記録対象のページとをそれぞれ特定する（ステップＳ６５）。
【００３４】
本実施形態においては、表示対象のページと記録対象のページの特定は、曲げ量の相違の差（大小）に基づいて行われる。具体的には、制御部１２０は、曲げ量の相違が最大である開き位置に対応するページを表示対象とし、それ以外のページを記録対象、すなわちブックマークの対象とする。この特定の態様は、図７の例示のようにブックマークが行われる場合を考慮した場合のものである。すなわち、この特定の態様は、表示対象のページに相当する開き位置は記録対象のページに相当する開き位置よりも大きく広げられている、という前提に基づくものである。この前提は、実際の冊子が読まれる場合にも一般に当てはまるものであるといえる。
【００３５】
表示対象及び記録対象のページが特定されたら、制御部１２０は、記録対象のページにまだ記録されていないページが含まれるか否かを判断する（ステップＳ６６）。ここにおいて、まだ記録されていないページとは、換言すれば新規にブックマークされるページである。図７の例でいえば、図７（ａ）の状態から図７（ｂ）の状態に遷移したときに、ブックマークとして記録されていないページが発生する。
【００３６】
ステップＳ６６の判断において「ＮＯ」となる場合は、記録対象のページに相当する開き位置に指等を挟みながらページめくりを行う場合である。よって、制御部１２０は、この場合、ステップＳ６３において特定されたページが１ページである場合と同様の処理を実行する。一方、新規にブックマークされるページが発生し、ステップＳ６６の判断において「ＹＥＳ」となる場合には、制御部１２０は、当該ページを新たにブックマークとして記録してから（ステップＳ６７）、表示対象のページを表示部１４０に表示させ、ページの切り替えを行う（ステップＳ６８）。
【００３７】
以上のようにして表示部１４０の表示が切り替えられたら、制御部１２０は、この切替処理を終了するか否かを判断する（ステップＳ６９）。切替処理を終了する場合は、例えば、使用者がその旨の操作を行う場合である。切替処理を終了する旨の操作は、センサ１１１のいずれにも指等を触れないようにする操作であってもよいが、センサ部１１０と異なる専用のボタンを押下するものであってもよい。制御部１２０は、かかる操作が行われると、切替処理を終了させ、かかる操作が行われなければ、ステップＳ６１の判断とステップＳ６９の判断とを順次繰り返す。
【００３８】
なお、本実施形態において、ブックマークされたページを表示させるための操作は、当該ページに対応する開き位置を他の位置よりも広げて開くことで実現される。例えば、図７の例において、使用者がセンサ部１１０を図７（ｃ）の状態から再び図７（ａ）の状態にさせると、表示装置１００は、図７（ａ）の状態においてブックマークされたページを表示部１４０に再度表示させる。
【００３９】
以上のとおり、表示装置１００によれば、使用者が実際の冊子を読む場合に近い操作によって、表示部１４０の表示の遷移が実現され、ページめくりとブックマークが機能する。表示装置１００は、板状のセンサ１１１が曲げられ、これがめくられることによってページめくりを実現させ、隣り合うセンサ１１１の間に指等が挟まれることによってブックマークを実現する。さらに、表示装置１００は、指等が挟まれた位置を再度開く操作によって、ブックマークされたページの再表示を実現する。
【００４０】
［変形例］
上述した実施形態は、本発明の一例である。本発明は、上述した実施形態に限られず、例えば、以下の変形例によって実施されてもよい。また、本発明は、以下の変形例を適当に組み合わせて実施されてもよい。
【００４１】
（変形例１）
本発明は、表示装置が別体に設けられた入力装置や、入力装置と表示装置とを有する表示システムとしても実施され得る。
図１０は、本発明に係る表示システムの構成を示すブロック図である。図１０に示す表示システム２００は、入力装置２１０と、表示装置２２０とを備える。入力装置２１０は、センサ部２１１と、制御部２１２と、出力部２１３とを備え、表示装置２２０は、入力部２２１と、制御部２２２と、記憶部２２３と、表示部２２４とを備える。このうち、センサ部２１１、記憶部２２３及び表示部２２４は、上述した実施形態の同名の構成要素であるセンサ部１１０、記憶部１３０、表示部１４０に対応する構成を有するものである。
【００４２】
制御部２１２と制御部２２２とは、上述した実施形態の制御部１２０に相当する機能を協働して実現する。制御部２１２は、上述した第１取得部１２１及び特定部１２３の各部に相当する機能を実現する。制御部２２２は、上述した第２取得部１２２、割当部１２４、記録部１２５及び表示制御部１２６の各部に相当する機能を実現する。出力部２１３は、制御部２１２により特定された開き位置を表す情報を出力する。また、入力部２２１は、出力部２１３により出力された情報を受け付ける。出力部２１３と入力部２２１とは、無線又は有線のいずれで接続されていてもよい。
【００４３】
なお、制御部２１２と制御部２２２とによる機能の分担は、他の態様を採用し得る。例えば、制御部２１２が割当部１２４や記録部１２５に相当する機能を有していてもよい。また、文書データの記憶手段を入力装置２１０側に設けるのであれば、制御部２１２が第２取得部１２２に相当する機能も有する。さらに、出力部２１３は、制御部２１２が割当部１２４に相当する機能を有するのであれば、特定された開き位置を表す情報に代えて、特定された開き位置に対応するページ（部分）を表す情報を出力してもよいし、開き位置とページの双方を含む情報を出力してもよい。
【００４４】
（変形例２）
本発明において、センサ部の位置は、特に限定されず、使用者の操作に適した位置であればどこでもよい。また、センサ部が備える個々のセンサも、曲げ変形を受け、さらに元の形状に戻ろうとするものであれば、その形状、サイズ、厚さなどは適当に定められれば十分である。
【００４５】
（変形例３）
本発明において、表示対象のページと記録対象のページの特定（すなわち区別）は、曲げ量の相違の差ではなく、当該ページが特定された時間の差（すなわち新旧）に基づいて行われてもよい。なぜならば、例えば、図７の例のようにページめくりを行った場合には、ページめくりのために開いている開き位置は、ブックマークのために開いている開き位置よりも後に開かれたものになるからである。よって、本例の場合、曲げ量の相違が他よりも大である第１の位置が特定された後に、第１の位置と異なる第２の位置も曲げ量の相違が他よりも大であるであると特定されると、第１の位置と第２の位置の曲げ量の相違の大小によらずに、第１の位置が記録対象のページに対応し、第２の位置が表示対象のページに対応する。
【００４６】
（変形例４）
本発明におけるブックマークは、ブックマークを必要とする期間中に指等を常に開き位置に挟んでおかなければならないわけではない。本発明におけるブックマークは、これがいったん記録されれば、指等を開き位置から抜いてもよい。ただし、この場合には、ブックマークされたページを再度表示させるためには、専用の操作が必要となる。かかる操作は、ページめくりとは明確に区別され得るものであり、例えば、センサ部が備えるセンサの全部を特定の方向に曲げるとか、あるいは、センサ部と異なる専用のボタンを押下するといったものである。
【００４７】
（変形例５）
上述した実施形態において、割当部１２４による割り当ては、使用者の操作の態様に依存せず、表示の対象の文書に応じてあらかじめ決められているものであるとした。しかし、割当部１２４による割り当ての態様は、使用者の操作の態様に応じて変化するものであってもよい。割当部１２４による割り当てを使用者の操作の態様に応じて異ならせた場合、ページめくりの操作によって表示されるページは、使用者の操作の態様に応じて変化する。
【００４８】
割当部１２４による割り当ての態様の他の例には、隣り合うセンサ１１１の間の位置のいずれかを基準とし、当該基準の位置（以下「基準位置」という。）と特定部１２３により特定される位置（開き位置）との差に応じて割り当ての態様を異ならせるものが挙げられる。基準位置は、あらかじめ決められた位置（例えば、センサ１１１1とセンサ１１１2の間）に固定されてもよいが、（記録対象ではなく）表示対象となっているページに対応する開き位置を基準位置にする、といったように、ページめくりの操作に応じて動的に変化してもよい。また、割当部１２４による割り当ての態様は、これらの両者の基準位置を組み合わせ、例えば、センサ１１１がいずれも曲げられていない状態から最初にセンサ１１１が曲げられたタイミングでは、あらかじめ決められた基準位置を用い、それ以降のページめくりに相当するタイミングでは、そのときの開き位置を基準位置として用いる、というような態様であってもよい。
【００４９】
図１１は、本例の割り当ての態様を説明するための図であり、センサ１１１の枚数（ｎ）を「１１」とし、文書のページ数を「５０」とした場合の例である。図１１（ａ）は、基準位置がセンサ１１１1とセンサ１１１2の間で固定されている場合の開き位置とページ数の対応関係を示すものである。また、図１１（ｂ）は、基準位置が表示対象のページに対応する開き位置であり、当該位置からの差に相当する枚数（すなわち、一度にめくったセンサ１１１の枚数）と遷移するページ数との対応関係を示すものである。
【００５０】
図１１（ａ）の割り当てを具体的な動作で説明すると、以下のとおりである。この例では、使用者が最初に開いた開き位置が基準位置である場合には、センサ１１１の枚数と文書のページ数が一致するようにし、使用者が最初に開いた開き位置が基準位置から遠いほど、センサ１１１の枚数よりも多くのページ数分の遷移を行うようになっている。例えば、使用者がセンサ１１１2、すなわち２枚目を最初にめくった場合であれば、これは全体（１０個所）の１／５の位置に相当するため、文書も全体（５０ページ）の１／５に相当する１０ページ目が表示される。また、使用者が複数のセンサ１１１の真ん中に相当する部分、すなわち５枚目を最初にめくった場合であれば、文書も真ん中に相当する２５ページ目が表示される。
【００５１】
以降のページめくりの態様を図１１（ｂ）の割り当てに従って行うと、次のようになる。例えば、最初に１枚目のセンサ１１１1をめくり、文書の１ページ目が表示されている場合において、センサ１１１をもう「１」枚だけめくったとすると、文書の１ページ目にさらに「１」ページが加算され、２ページ目が表示される。一方、文書の１ページ目が表示されている場合において、センサ１１１を「２」枚めくったとすると、文書の１ページ目にさらに「４」ページが加算され、５ページ目が表示される。同様に、文書の１ページ目が表示されている状態からセンサ１１１を「５」枚めくると、「１０」ページが加算されて１１ページ目が表示される。すなわち、この場合には、使用者が一度に何枚のセンサ１１１をめくったかによって、その後に表示される文書のページが変化するようになる。
【００５２】
なお、本例の場合、ページめくりを最後のページまで行うためには、指等を開き位置から抜く必要があることもある。したがって、この場合のブックマークの態様は、変形例４のものを用いるとよい。
【符号の説明】
【００５３】
１００…表示装置、１００ａ…筐体、１１０…センサ部、１１１、１１１n…センサ、１２０…制御部、１２１…第１取得部、１２２…第２取得部、１２３…特定部、１２４…割当部、１２５…記録部、１２６…表示制御部、１３０…記憶部、１４０…表示部、２００…表示システム、２１０…入力装置、２２０…表示装置
【図１】
2011128718.tif 000003
【図２】
2011128718.tif 000004
【図３】
2011128718.tif 000005
【図４】
2011128718.tif 000006
【図５】
2011128718.tif 000007
【図６】
2011128718.tif 000008
【図７】
2011128718.tif 000009
【図８】
2011128718.tif 000010
【図９】
2011128718.tif 000011
【図１０】
2011128718.tif 000012
【図１１】
2011128718.tif 000013